(57)【要約】【課題】スクリーンに画像を適切に映し出すことを図る。【解決手段】遊技部品覆部３０における遊技盤１１０の回転中心の反対側に位置する右側壁３０ｂの傾斜角度θ１が遊技部品覆部３０における遊技盤１１０の回転中心の側に位置する左側壁３０ａの傾斜角度θ２よりも大きく形成されたことによって映写装置の投影光源から電気的に画像の表示されている液晶表示器および投影レンズを通過して反射鏡で前側に反射した光が光路Ｌ１をとおるので、遊技部品覆部３０による影が発生しないようにスクリーン５に到達し、スクリーン５に画像を適切に映すことができる。【選択図】図１
2005296396.tif 000002
【特許請求の範囲】
【請求項１】
遊技機枠が前側に開放された遊技主体収納室と遊技主体収納室の後壁に形成された前後方向に貫通する中央開口部とを備え、投影機の投影光源から光を画像の表示されている液晶表示器に照射した投影光を投影機の投影レンズで拡大して反射鏡で前側に反射してスクリーンに上記液晶表示器で表示された画像を拡大して映写する映写装置のスクリーンが遊技機枠の裏側で中央開口部と対応して設けられ、遊技盤の左側部が遊技機枠の遊技主体収納室に嵌め込まれ、遊技盤の右側部が前側から後側に押されることによって、遊技盤が上記嵌め込まれた左側部を回転中心として前側から後側に全体的に回転することによって、遊技盤が遊技機枠に着脱される映写装置を備えたパチンコ機において、映写装置のスクリーンの部分に遊技盤の裏面から後側に突出する裏突出部分を覆い隠すための前側に開放された遊技部品覆部を設け、この遊技部品覆部における遊技盤の回転中心の側に位置する左側壁が後側から前側に行くに従って徐々に左側に傾斜する斜面になっており、遊技部品覆部における遊技盤の回転中心の反対側に位置する右側壁が後側から前側に行くに従って徐々に右側に傾斜する斜面になっており、右側壁の傾斜角度が左側壁の傾斜角度よりも大きく形成されたことによって、遊技部品覆部が左右非対称な形状に形成されたことを特徴とする映写装置を備えたパチンコ機。
【発明の詳細な説明】
【技術分野】
【０００１】
本発明は、遊技盤の左側部が遊技機枠の遊技主体収納室に嵌め込まれ、遊技盤の右側部が前側から後側に押されることによって、遊技盤が上記嵌め込まれた左側部を回転中心として前側から後側に全体的に回転することによって、遊技盤が映写装置を有する遊技機枠に着脱される構造であっても、スクリーンに画像を適切に映し出せる映写装置を備えたパチンコ機に関する。
【背景技術】
【０００２】
映写装置を備えたパチンコ機には、遊技機枠の下部に液晶表示器を使用したプロジェクターと呼ばれる投影機を配置し、遊技機枠の上部に設けられた遊技盤の裏側に、反射鏡と、フレネルレンズからなる平板状の視野レンズと呼ばれるスクリーンとを配置し、投影機の投影光源から光を画像の表示されている液晶表示器に照射し、その投影光を投影機の投影レンズで拡大し、その拡大された投影光を反射鏡で前側に反射してスクリーンに上記液晶表示器で表示された画像を拡大して映写する構造である。しかしながら、遊技盤を遊技機枠に装着する構造として、遊技盤の左側部が遊技機枠の遊技主体収納室に嵌め込まれ、遊技盤の右側部が前側から後側に押されることによって、遊技盤が上記嵌め込まれた左側部を回転中心として前側から後側に全体的に回転する構造を採用し、遊技機枠または映写装置に遊技盤の裏面から後側に突出する裏突出部分を覆い隠すための遊技部品覆部を設けた場合、遊技盤を回転する際、当該遊技部品覆部と上記裏突出部分とが互いに接触しないように、遊技部品覆部の横幅が広くなる。このように、遊技部品覆部の横幅が広くなると、スクリーンの画像を映し出す領域が狭くなるという欠点がある。
【特許文献１】特開平２００３−２２０１９４号公報
【特許文献２】特開平６−３５０６６号公報
【発明の開示】
【発明が解決しようとする課題】
【０００３】
発明が解決しようとする問題点は、遊技部品覆部の横幅が広くなるのに伴い、スクリーンの画像を映し出す領域が狭くなるという点である。
【課題を解決するための手段】
【０００４】
本発明に係る映写装置を備えたパチンコ機は、遊技機枠が前側に開放された遊技主体収納室と遊技主体収納室の後壁に形成された前後方向に貫通する中央開口部とを備え、投影機の投影光源から光を画像の表示されている液晶表示器に照射した投影光を投影機の投影レンズで拡大して反射鏡で前側に反射してスクリーンに上記液晶表示器で表示された画像を拡大して映写する映写装置のスクリーンが遊技機枠の裏側で中央開口部と対応して設けられ、遊技盤の左側部が遊技機枠の遊技主体収納室に嵌め込まれ、遊技盤の右側部が前側から後側に押されることによって、遊技盤が上記嵌め込まれた左側部を回転中心として前側から後側に全体的に回転することによって、遊技盤が遊技機枠に着脱される映写装置を備えたパチンコ機において、映写装置のスクリーンの部分に遊技盤の裏面から後側に突出する裏突出部分を覆い隠すための前側に開放された遊技部品覆部を設け、この遊技部品覆部における遊技盤の回転中心の側に位置する左側壁が後側から前側に行くに従って徐々に左側に傾斜する斜面になっており、遊技部品覆部における遊技盤の回転中心の反対側に位置する右側壁が後側から前側に行くに従って徐々に右側に傾斜する斜面になっており、この右側壁の傾斜角度が上記左側壁の傾斜角度よりも大きく形成されたことによって、遊技部品覆部が左右非対称な形状に形成されたことを最も主要な特徴とする。
【発明の効果】
【０００５】
本発明に係る映写装置を備えたパチンコ機は、遊技盤の回転中心側の反対側に位置する右側壁が回転する遊技盤から裏側に突出した裏突出部分と接触しないように裏突出部分から遠距離に設けられた状況下において、映写装置の遊技部品覆部における右側壁の傾斜角度が映写装置の遊技部品覆部における左側壁の傾斜角度よりも大きく形成されたので、映写装置の投影光源から電気的に画像の表示されている液晶表示器および投影レンズを通過して反射鏡で前側に反射した光が映写装置の遊技部品覆部による影が発生しないようにスクリーンに到達し、スクリーンに画像を適切に映すことができるという利点がある。
【発明を実施するための最良の形態】
【０００６】
図１−図６は、発明を実施するための最良の形態である。図１のａ図は、遊技盤１１０を映写装置１の取り付けられた遊技機枠７１に装着する平面的な初期状態を示す。図１のｂ図は、遊技盤１１０を映写装置１の取り付けられた遊技機枠７１に装着する平面的な終期状態を示す。図１のｃ図は、最良の形態と対比例とを示す。図２は、映写装置１の取り付けられた遊技機枠７１と遊技盤１１０とを分解して示す。図３は遊技盤１１０の裏面を示す。図４は、映写装置１を分解して示す。図５は、映写装置１の前側からの外観を示す。図６は遊技盤１１０と映写装置１と遊技機枠７１との関係を示す。この明細書において、「前」、「後」、「裏」、「上」、「下」、「左」、「右」などの方向は、図２の状態に遊技機枠７１および遊技盤１１０を置いて前側から見た場合に特定される方向である。「後」と「裏」とは、同じ方向である。
【０００７】
図２を参照し、パチンコ機における遊技機枠７１の前側の構造および遊技盤１１０の前側の構造について説明する。遊技機枠７１は、遊技店の島と呼ばれる図外の遊技設置構造体に取り付けるための外枠と呼ばれるような固定枠７２を備える。固定枠７２は、前後方向に開放された縦長な長方形の空間を囲む額縁形状である。固定枠７２には、前枠または中枠と呼ばれるような可動枠７５が、固定枠７２の下部前面に設けられた幕板部７３よりも上方に位置し、左側の金属製のヒンジ７６で前側横方向に片開き可能にかつ着脱可能（交換可能）に取り付けられる。可動枠７５は、前後方向に開放された縦長な長方形の空間を囲む額縁形状の可動枠本体７７と、可動枠本体７７の裏面に設けられた遊技主体収納構造体７８とを備える。可動枠７５が、閉じられた場合、図外の金属製のロック機構によって、開閉不能に固定枠７２に支持される。可動枠本体７７には、パネル枠８１および球皿構造体８２が、左側に設けられる図外のヒンジで前側横方向に片開き可能に取り付けられる。パネル枠８１は、前後方向に開放された窓８３を囲む額縁形状である。パネル枠８１の裏面には、ガラスまたは合成樹脂からなる光透過性を有する前面パネル８４が、窓８３を覆う格好で取り付けられる。
【０００８】
パネル枠８１が、閉じられた場合、金属製のロック機構８８によって、可動枠本体７７に、開閉不能に支持される。球皿構造体８２が、閉じられた場合、金属製のロック機構９４によって、可動枠本体７７に、開閉不能に支持される。可動枠７５が、閉じられた場合、図外のロック機構によって、固定枠７２に、開閉不能に支持される。可動枠本体７７の右縦片には、施錠装置８６とロック機構８８；９４および図外のロック機構が、設けられる。可動枠７５やパネル枠８１および球皿構造体８２が、閉じられ、図外のロック機構やロック機構８８；９４で開閉不能に支持された状態において、遊技店の店員が、図外のキープレート（鍵）を遊技機枠７１の前側から施錠装置８６の鍵穴８７に挿入し、当該キープレートを例えば右側に９０度回転操作すると、固定枠７２と可動枠７５との図外のロック機構による支持形態が解除される。この支持形態の解除後に、店員が、可動枠７５を前側に引くことによって、可動枠７５は、ヒンジ７６を開閉中心として前側に片開きされる。また、上記施錠装置８６の鍵穴８７に挿入されたキープレートが、例えば左側に９０度回転操作されると、可動枠７５とパネル枠８１とのロック機構８８による支持形態が解除される。この支持形態の解除後に、店員が、パネル枠８１を前側に引くことによって、パネル枠８１は、図外のヒンジを開閉中心として前側に片開きされる。このように、パネル枠８１が、前側に開かれた状態において、店員が、可動枠７５の前面のロック解除操作体８９を操作すると、可動枠７５と球皿構造体８２とのロック機構９４による支持形態が解除される。この支持形態の解除後に、店員が、球皿構造体８２を前側に引くことによって、球皿構造体８２は、図外のヒンジを開閉中心として前側に片開きされる。球皿構造体８２の前面には、球収納部９０と発射操作機構９１とを備える。球収納部９０は、遊技に使用する球を受ける上方に開放された形態である。球皿構造体８２の裏面には、球を球収納部９０に供給する球取入口９２と、球収納部９０から発射機構１０５に球を供給する球供給口９３とを備える。
【０００９】
遊技主体収納構造体７８は、前側に開放された遊技主体収納室９５と、遊技主体収納室９５の後壁に形成された前後方向に貫通する中央開口部９６とを備える。遊技主体収納室９５の左側部には、遊技盤１１０を裏側から前側に押圧する板ばねにより構成された遊技主体押圧部９７と、遊技主体押圧部９７で前側に押された遊技盤１１０を前側から受け止める遊技主体受部９８とを備える。遊技主体収納室９５の右側部には、遊技主体ロック機構９９を備える。遊技主体ロック機構９９は、遊技主体収納構造体７８から前側に突出する台座１００の中心にロック操作部１０１を回転可能に備える。ロック操作部１０１は、台座１００から前側に突出した操作軸の端部に固定された横長な形態である。
【００１０】
遊技主体収納構造体７８における遊技主体収納室９５よりも下部における前面には、遊技主体棚１０３を備える。遊技主体棚１０３の前縁から下方に延設された前壁１０４の前面には、発射機構１０５、発射レール１０６、ファール球取入口部１０７、前横樋１０８を備える。発射レール１０６は、球皿構造体８２の球供給口９３から供給された１個の球を受け取る。発射機構１０５は、電力供給と遮断とを交互に受けることによって、球収納部９０から発射レール１０６に供給された１個の球を遊技盤１１０の遊技領域１１２に向けて発射する。発射レール１０６は、発射機構１０５から発射された球を、遊技盤１１０における発射通路１１５の入口に誘導する。ファール球取入口部１０７は、遊技盤１１０の発射通路１１５から落下する球を取り込む。ファール球取入口部１０７に取り込まれた球は、前横樋１０８を経由して球取入口９２に排出される。前横樋１０８は、可動枠７５の裏部に取り付けられた払出機構１２８から払い出された球とファール球取入口部１０７から排出された球とを、遊技機枠７１の内部から排出される球として、前横樋１０８の球排出口１０９から球皿構造体８２の球取入口９２に誘導する、通路を形成する。
【００１１】
可動枠７５の裏側には映写装置１が設けられる。映写装置１は、図６にも示すように、遮光性合成樹脂からなる前側に開放した箱形の映写装置筐体２に、投影機３、反射鏡４、スクリーン５を組み付けた、ユニットと呼ばれる単一構造体として形成される。図２に戻り、遊技機枠７１に交換可能に取り付けられる遊技主体を構成する遊技盤１１０の前側の構造について説明する。遊技盤１１０は、非遊技領域を形成する遮光性合成樹脂からなる周辺飾り構造体１１１と、周辺飾り構造体１１１で囲まれた内側の遊技領域１１２を形成する光透過性合成樹脂からなる板状構造体１１３とを備える。周辺飾り構造体１１１は、遊技主体収納室９５に格納される方形板状の中央に、前後方向に貫通する丸形開口部１１４と、丸形開口部１１４の左側部に前側開放縦溝形状の発射通路１１５とを備える。発射通路１１５の左側面と当該左側面から右側に弧状に延長する丸形開口部１１４の上部弧状側面とには、ステンレスのような金属帯板状の外バンド１１６が、一連に付設される。
【００１２】
発射通路１１５の右側面および当該右側面から右側に弧状に延長する丸形開口部１１４の下部弧状側面は、発射通路１１５の縦形の底部と丸形開口部１１４より前方に突出する内バンド１１７を形成する。内バンド１１７における下部弧状側面の最下部には、アウト口１１８を囲むとともに球を遊技盤１１０の前側から裏側に排出するハートと呼ばれるアウト口部１１９が、内バンド１１７から内側に突出した格好に連接される。内バンド１１７およびアウト口部１１９は、周辺飾り構造体１１１と一緒に合成樹脂により形成される。よって、発射通路１１５以外における外バンド１１６と内バンド１１７とが、遊技領域１１２を囲む丸形開口部１１４である。アウト口部１１９は、遊技領域１１２の最下部に配置される。発射通路１１５は、発射機構１０５から発射された球を遊技領域１１２に案内する、通路である。
【００１３】
発射機構１０５から発射された球を発射通路１１５から遊技領域１１２に放出する発射通路１１５の出口には、戻り球防止弁１２０が、設けられる。戻り球防止弁１２０の取付部は、内バンド１１７の端部に沿うように、周辺飾り構造体１１１に取り付けられる。戻り球防止弁１２０は、外バンド１１６や内バンド１１７よりも厚さの薄い薄帯板状のステンレスまたは合成樹脂により形成される板ばねである。戻り球防止弁１２０が、周辺飾り構造体１１１に取り付けられた場合、戻り球防止弁１２０は、取付部の存在する基部から外バンド１１６の側に位置する先端部に行くに従って、発射通路１１５の出口から遊技領域１１２の側に徐々に傾斜する格好になる。戻り球防止弁１２０の先端は、外バンド１１６の遊技領域１１２の側に位置する内側面に接触するかまたは接触する程度に近づいていればよい。この接触する程度は、戻り球防止弁１２０の先端と外バンド１１６の内側面との間に１個の球の直径よりも小さい隙間が存在し、遊技領域１１２から外バンド１１６の内側面に沿って発射通路１１５の側に逆行する球が、上記戻り球防止弁１２０の先端と外バンド１１６の内側面との間に引っかかることもなく通過することもない範囲であればよい。
【００１４】
そして、発射機構１０５から発射された球が、発射通路１１５から戻り球防止弁１２０を押し開けることによって、戻り球防止弁１２０の先端部が、外バンド１１６から離れるように、戻り球防止弁１２０の取付部を基準として、戻り球防止弁１２０が、全体的に遊技領域１１２の側に弾性変形する。そして、戻り球防止弁１２０を押し開けた球が、戻り球防止弁１２０から遊技領域１１２の側に離れることによって、戻り球防止弁１２０の先端部が、外バンド１１６に近づくように、戻り球防止弁１２０が、全体的に図２に示す形態に復元する。このように戻り球防止弁１２０が、復元した形態において、発射通路１１５から遊技領域１１２に発射された球が、遊技領域１１２から発射通路１１５の側に逆行してきた場合、当該球が、戻り球防止弁１２０に衝突し、戻り球防止弁１２０が、当該球を遊技領域１１２から発射通路１１５に取り込まれることを防止して遊技領域１１２に跳ね返す。
【００１５】
周辺飾り構造体１１１の下縁部には、不正防止バンド１２２が、直線的に取り付けられる。不正防止バンド１２２は、弾性の有る合成樹脂で形成されたものであって、パネル枠８１が、閉じられることによって、不正防止バンド１２２が前面パネル８４の裏面（遊技盤１１０の側に位置する面）に接触し、遊技者が、ピアノ線や合成樹脂製薄帯板などの不正操作部材を遊技領域１１２よりも下方における遊技機枠７１の前側から遊技機枠７１の前面構成部品間の隙間を経由して遊技領域１１２に挿入しようとした場合、パネルの内側面に接触した不正防止バンド１２２が、不正操作部材を受け止めて不正操作部材の遊技領域１１２への侵入を防止する。
【００１６】
周辺飾り構造体１１１の右側の上下部には、遊技盤１１０を遊技機枠７１に固定するための取付部１２３が、設けられる。取付部１２３は、遊技主体収納室９５に設けられた遊技主体ロック機構９９と係合するロック挿入孔１２４を備える。周辺飾り構造体１１１の右側の下部には、証紙台１２６が、前後方向に開閉可能に設けられる。証紙台１２６が、周辺飾り構造体１１１との連結部である図外のヒンジを開閉中心として前方に開かれることによって、下部の取付部１２３が、右周辺飾り構造体１１１の前側から見える格好となる。そして、証紙台１２６が、上記ヒンジを開閉中心として後方に閉じられ、証紙台１２６が、証紙台受部１２７で受け止められることによって、取付部１２３が、証紙台１２６で覆われて周辺飾り構造体１１１の前側から見えなくなる。閉じられた証紙台１２６の前面には、遊技盤１１０の組合の検査に合格して販売の認可を受けたことを示すための証紙が、貼り付けられる。
【００１７】
遊技領域１１２を形成する光透過性合成樹脂からなる板状構造体１１３には、センター飾り１３１、一般入賞部品１３２、作動入賞部品１３３、始動入賞部品１３４、可変入賞部品１３５、遊技釘１３６などの遊技部品が、周辺飾り構造体１１１の発射通路１１５を除く丸形開口部１１４で囲まれた光透過性を有する遊技領域１１２に取り付けられる。一般入賞部品１３２は、球を遊技領域１１２から取り込み、当該取り込んだ球を遊技領域１１２の裏側に排出する、取込形である。一般入賞部品１３２の内部には、図外の一般入賞球検出器を備える。作動入賞部品１３３は、球を遊技領域１１２から取り込み、当該取り込んだ球を遊技領域１１２の裏側に取り込むことなく、遊技領域１１２に排出する、通過形である。作動入賞部品１３３の内部には、図外の作動入賞球検出器を備える。始動入賞部品１３４は、一対の羽根１３８の下部を開閉中心とし、一対の羽根１３８を図外の始動駆動源で左右方向に開閉する電動チューリップと呼ばれる構造である。始動入賞部品１３４は、球を遊技領域１１２から取り込み、当該取り込んだ球を遊技領域１１２の裏側に排出する、取込形である。
【００１８】
始動入賞部品１３４の左右一対の羽根１３８は、閉じた場合でも、球を受け入れ得る形態、受け入れない形態のいずれでも適用できる。始動入賞部品１３４の内部には、図外の始動入賞球検出器を備える。可変入賞部品１３５は、横長な長方形状の開閉体１３９の下部を開閉中心とし、開閉体１３９を図外の可変駆動源で前後方向に開閉するアタッカーまたは大入賞口と呼ばれる構造である。可変入賞部品１３５の開閉体１３９で閉じたり開かれたりする空洞形状の球受入部の内部には、カウントスイッチと呼ばれる図外の普通入賞球検出器と、Ｖスイッチと呼ばれる図外の特定入賞球検出器とを備える。可変入賞部品１３５の球受入部に取り込まれた球は、普通入賞球検出器または特定入賞球検出器を通過した後に遊技盤１１０の裏側に排出される。よって、可変入賞部品１３５は、取込形である。
【００１９】
図３を参照し、遊技盤１１０の裏側の構造について説明する。遊技盤１１０の裏面には、集合樋１４０が設けられる。集合樋１４０は、板状構造体１１３の裏面に、図外のタッピングスクリューのような止ねじで取り付けられることによって、図２に示す一般入賞部品１３２、始動入賞部品１３４、可変入賞部品１３５、アウト口１１８から遊技盤１１０の裏側に排出された球を下方に誘導して集合樋１４０の排出口１４１から下方に排出する通路を、板状構造体１１３の裏面との間に形成する。集合樋１４０の排出口１４１から排出された球は、遊技主体棚１０３と映写装置１の上被覆部２７との間の隙間から遊技設置構造体における球捕集系統に排出される。一般入賞部品１３２における遊技盤１１０の裏側に突出する裏突出部分１４２と可変入賞部品１３５における遊技盤１１０の裏側に突出する裏突出部分１４３およびアウト口１１８における遊技盤１１０の裏側に開口する部分は、集合樋１４０で覆い隠される。一般入賞部品１３２の裏突出部分１４２は、図２に示す遊技領域１１２から一般入賞部品１３２に入賞した球を遊技盤１１０の裏側に排出する通路および始動入賞部品１３４の始動入賞球検出器などである。可変入賞部品１３５の裏突出部分１４３は、遊技領域１１２から可変入賞部品１３５に入賞した球を遊技盤１１０の裏側に排出する通路、可変入賞部品１３５の開閉体１３９を駆動する駆動機構、可変入賞部品１３５の普通入賞球検出器および特定入賞球検出器などである。始動入賞部品１３４における遊技盤１１０の裏側に突出する裏突出部分１４４は、板状構造体１１３の前面から、板状構造体１１３に形成された逃孔１４５を経由して、板状構造体１１３の裏面に突出し、遊技領域１１２から始動入賞部品１３４に入賞した球を遊技盤１１０の裏側に排出する通路、始動入賞部品１３４の羽根１３８を駆動する駆動機構、始動入賞部品１３４の始動入賞球検出器などである。
【００２０】
図４を参照し、映写装置１の各構成部材の構造について説明する。映写装置筐体２は、筐体本体６と前被覆体７と蓋体８との３つの部品が組み合わせられることで、下部の投影機構部９と上部の反射映写機構部１０とを形成する。投影機構部９は、反射映写機構部１０よりも横幅が狭い。筐体本体６は、裏壁から左壁と右壁と上壁および下壁を前側に突出したことで、前側に開放した箱形に形成された遮光性合成樹脂からなる構造体であって、下部の投影機収納室１１と上部の反射鏡収納室１２とを上下方向に連接した格好で、反射映写機構部１０の外側の四隅に装置取付部１３を備える。装置取付部１３は、筐体本体６の周壁１５から外側に突出する。装置取付部１３は、映写装置１を、図２に示す遊技機枠７１の可動枠７５の裏面に、取り付けるための部分である。筐体本体６の左壁と右壁と上壁および下壁が、投影機収納室１１と上部の反射鏡収納室１２とを一連に囲む環状の周壁１５を形成する。筐体本体６の反射映写機構部１０における周壁１５の内側には、スクリーン取付部１６が、反射映写機構部１０の裏壁から前側に突出した格好で複数個設けられる。筐体本体６の反射映写機構部１０における周壁１５の内側には、筒状の前被覆取付部１８が、反射映写機構部１０の裏壁から前側に突出した格好で複数個設けられる。反射鏡収納室１２の裏壁は、上方から下方に行くに従って徐々に周壁１５の前面から裏側に離れる前傾姿勢の平板状の壁である。反射鏡収納室１２では、中央の反射鏡受部２０と上下の反射鏡取付部２１とが、反射鏡収納室１２の裏壁から前方に突出する。反射鏡受部２０は、リブ２２を格子状に備える。リブ２２の前面は、反射鏡収納室１２の裏壁と同一の角度で前傾姿勢となる１つの平面内に位置する。反射鏡取付部２１は、リブ２２よりも上下方向の外側に位置する。反射鏡取付部２１では、反射鏡取付部２１の前面よりも外径の小さい筒状の図外の取付足が、反射鏡取付部２１の前面から前方に同軸に突出する。
【００２１】
前被覆体７は、遮光性合成樹脂により形成された部材であって、裏側に開放した箱形の上被覆部２７と前側に開放した箱形の下被覆部２８とが上下方向に連接された形態である。上被覆部２７は、垂直姿勢の平板状の壁である。上被覆部２７には、中央の遊技部品覆部３０と左右の遊技部品覆部３１とを備える。遊技部品覆部３０は、図３に示す裏突出部分１４４を収納して覆い隠す部分であって、上被覆部２７の上縁部から上方に突出する左側壁３０ａと、上被覆部２７の上縁部から上方に突出する右側壁３０ｂと、左側壁３０ａの後縁部と右側壁３０ｂの後縁部とに連接された背壁３０ｃと、左側壁３０ａの上縁部と右側壁３０ｂの上縁部と背壁３０ｃの上縁部とに連接された上壁３０ｄとにより前側に開放された内部空間３０ｅを囲み形成するフード形状になっている。内部空間３０ｅの下方は、上被覆部２７の前側に開放される。遊技部品覆部３１は、図３に示す集合樋１４０の上部左右を覆い隠す部分である。遊技部品覆部３０；３１の周りにおいて、上壁３３が、上被覆部２７から前方に突出する。下被覆部２８は、棚壁３４から下方に行くに従って徐々に前側に傾斜する後斜姿勢の平板状の壁である。上被覆部２７と下被覆部２８との境界を形成する棚壁３４は、上被覆部２７と下被覆部２８とに連接される。前被覆体７の周縁部には、複数の取付孔３５が、前被覆取付部１８と対応する位置に設けられる。
【００２２】
棚壁３４および下被覆部２８には、前後方向に貫通する作業開口部３７を備える。作業開口部３７は、投影機構部９に取り付けられた投影機３の投影レンズ６６の焦点を調整する作業を行うための部分である。作業開口部３７の上縁部には、フック受溝３８が、作業開口部３７の上縁部から上方に窪む形態に形成される。フック受溝３８の上方に窪む深さは、蓋体８の厚さよりも浅い。作業開口部３７の左右下縁部には、蓋受部３９が、棚壁３４の上面から下方に落ち込むとともに下被覆部２８の前面から裏側に落ち込む形態に形成される。この蓋受部３９の落ち込む深さは、蓋体８の厚さと同じである。作業開口部３７の下縁部に位置する蓋受部３９には、突起受孔４０が、左右に形成される。蓋体８は、作業開口部３７を塞ぐ形状であって、遮光性合成樹脂により形成される。蓋体８は、裏側に直線的に突出した前端にフック４１を有する係合部４２と、係合部４２と同じ方向で平行に突出する突起４３とを備える。
【００２３】
反射鏡４は、反射面体４５と上下の取付具４６とを備える。反射面体４５は、前面が鏡面仕上された、反射鏡受部２０と同じ外形状を有し、ステンレスのような防錆金属からなる平板状である。取付具４６は、反射面体４５の上縁部と下縁部とに、スポット溶接のような接合方法で結合される。取付具４６には左右側部に取付孔４７が形成される。スクリーン５は、前側開放の反射映写機構部１０の前側開口を覆う、フレネルレンズからなる視野レンズと呼ばれる平板状である。スクリーン５の外形は、反射映写機構部１０の周壁１５の前面と、前被覆体７の上壁３３の前面と、遊技部品覆部３０における周壁１５の前面とを覆う形状である。スクリーン５の周縁部には、複数の逃部４８；４９；５０を備える。逃部４８は、スクリーン取付部１６の内部孔を逃げる部分である。逃部４９は、遊技部品覆部３０の前側開口を逃げる部分である。逃部５０は、遊技部品覆部３１の前側開口を逃げる部分である。
【００２４】
スクリーン５を筐体本体６に取り付けるスクリーン支持体５４は、鉄板のような金属板により左右の２体に分割された形態であって、反射映写機構部１０の周壁１５の前面を覆う支持前壁５５と、支持前壁５５から裏側に折り曲げられた支持側壁５６とを備える。支持前壁５５は、上下に取付孔５７を備える。取付孔５７の周りにおける支持前壁５５の裏面には、取付孔５７と同軸に連なる内部孔を有する筒状の嵌合部５８が設けられる。投影機３は、機器筐体の下部にＬＥＤのような投影光源６４を内蔵し、機器筐体の上下方向中間部に液晶表示器６５を内蔵し、機器筐体の上部に投影レンズ６６を焦点調整可能に備え、機器筐体の外側に、モータで駆動されるシロコタイプのブロワーファンのような空冷機６７と、液晶表示器６５の投影機制御回路１４７とを備える。空冷機６７は、筐体内部を空気で冷却する機器である。
【００２５】
映写装置１の組立方について説明する。投影機３が筐体本体６の投影機構部９に取り付けられ、前被覆体７が筐体本体６に取り付けられ、反射鏡４が筐体本体６の反射鏡収納室１２に取り付けられる。投影機３が筐体本体６に取り付けられる時期と、反射鏡４が筐体本体６に取り付けられる時期とは、どちらが先であってもよいが、前被覆体７が筐体本体６に取り付けられる時期は、反射鏡４が筐体本体６に取り付けられた後がよい。その理由は、反射鏡４を傷めることなく容易に取り付けることができる。このように、反射鏡４および前被覆体７が筐体本体６に取り付けられることによって、筐体本体６の上部には、反射鏡４を内蔵した前側開放の反射映写機構部１０が形成される。
【００２６】
反射鏡４が反射鏡収納室１２に取り付けられる場合、反射鏡４における上下の取付具４６の取付孔４７が、反射鏡取付部２１の取付足に、前側から個別に挿入され、反射面体４５の裏面が反射鏡受部２０の前面に接触し、反射面体４５の前面である鏡面仕上された反射面が全体的に平坦面となる格好で、反射面体４５が反射鏡受部２０に受け止められる。その後、タッピングスクリューのような止ねじ６１が反射鏡４の前側から反射鏡４の取付孔４７を経由して筐体本体６の取付足に締結されることによって、反射鏡４が反射鏡収納室１２の裏壁に取り付けられる。つまり、反射鏡４が反射鏡収納室１２の内部で筐体本体６に前傾姿勢で取り付けられる。
【００２７】
また、投影機３の投影レンズ６６が上方で、投影機３の投影光源６４が下方となるように、投影機３が投影機収納室１１に取り付けられる。投影機３が投影機収納室１１に取り付けられた後、前被覆体７が、投影機収納室１１の前側開口を被覆する格好で筐体本体６に被せられる。その後、タッピングスクリューのような止ねじ６８が取付孔３５から前被覆取付部１８に締結されることによって、前被覆体７が筐体本体６に取り付けられる。これによって、前被覆体７で被覆された投影機構部９が、反射映写機構部１０よりも横幅の狭い、前後左右下部の閉鎖された格好に形成される。投影機構部９の上部には前被覆体７と映写装置筐体２とで囲まれた平面視四角形の開口が形成される。換言すると、投影機構部９の内部空間と反射鏡収納室１２とが開口で互いに上下に連なる１つの空間を形成する。
【００２８】
次に、スクリーン５が反射映写機構部１０の前側開口を覆うように、スクリーン５の周縁部の裏面が、反射映写機構部１０の周壁１５の前面と、前被覆体７の上壁３３の前面と、遊技部品覆部３０における周壁の前面とに、前側から重ね合わされて接触して搭載される。このスクリーン５の搭載される反射映写機構部１０の周壁１５の前面と、前被覆体７の上壁３３の前面と、遊技部品覆部３０における前側開口を囲む前面とのそれぞれは、前被覆体７が筐体本体６に取り付けられることで、１つの垂直面内に位置する。そして、左のスクリーン支持体５４の支持前壁５５がスクリーン５の左側部の前面と対向するように配置され、右のスクリーン支持体５４の支持前壁５５がスクリーン５の右側部の前面と対向するように配置され、スクリーン支持体５４における嵌合部５８が、スクリーン５の逃部４８を経由してスクリーン取付部１６に、個別に配置される。その後、タッピングスクリューのような止ねじ６９がスクリーン支持体５４の前側から取付孔５７を経由してスクリーン取付部１６の内部孔に個別に締結される。これによって、スクリーン５が左右のスクリーン支持体５４で反射映写機構部１０に取り付けられ、左右のスクリーン支持体５４の支持側壁５６がスクリーン５と反射映写機構部１０の周壁１５との合わせ部を外側から被覆する。
【００２９】
このように、投影機３、反射鏡４、スクリーン５が、筐体本体６に取り付けられた形態において、投影レンズ６６の焦点調整が行われる。それには、投影機３の液晶表示器６５に直流電源を供給してテスト画像を表示し、投影機３の投影光源６４に交流電源を供給する。これによって、投影機３の投影光源６４が光を画像の表示されている液晶表示器６５に照射し、その投影光が投影機３の投影レンズ６６で拡大され、その拡大された投影光が反射鏡４で前側に反射してスクリーン５に上記液晶表示器６５で表示されたテスト画像を拡大して映写する。その状態において、例えば、作業者が、手を、前被覆体７の前側から作業開口部３７を経由して投影機構部９の内部に入れて、投影機３の投影レンズ６６を回転操作し、上記スクリーン５に映し出されたテスト画像が焦点の合わされた態様となるように、作業者が焦点調整を行う。その後、作業開口部３７が蓋体８で閉鎖される。
【００３０】
作業開口部３７を蓋体８で閉鎖する場合、蓋体８のフック４１がフック受溝３８に前側から挿入され、突起４３が突起受孔４０に挿入された格好で、作業者が蓋体８を作業開口部３７に装着すると、蓋体８の周縁部の裏面が蓋受部３９に接触し、フック４１がフック受溝３８を裏側に越えてフック受溝３８の周りにおける上被覆部２７の裏面に係合し、蓋体８が作業開口部３７を閉鎖して前被覆体７に取り付けられる。これによって、スクリーン５が前側開放の反射映写機構部１０の前側開口を被覆することによって、箱形の映写装置筐体２に投影機３と反射鏡４とスクリーン５とを組み付けた単一集合構造体に形成された映写装置１が、図３に示す格好に構成される。この映写装置１にあっては、筐体本体６の前側開口がスクリーン５と前被覆体７と蓋体８とで閉鎖された密封空間状の投影機構部９および反射映写機構部１０が形成される。
【００３１】
映写装置１は遊技機枠７１に次のように取り付けられる。映写装置１におけるスクリーン支持体５４とスクリーン５と前被覆体７の上被覆部２７とが可動枠７５の裏側から中央開口部９６に収納され、スクリーン支持体５４の前面が遊技主体収納室９５の裏壁の前面と同一面内に位置される。そして、映写装置１の装置取付部１３が可動枠７５の裏側から可動枠７５の遊技主体収納構造体７８に取り付けられることによって、映写装置１が可動枠７５に取り付けられる。遊技盤１１０は映写装置１を有する遊技機枠７１に次のように取り付けられる。遊技盤１１０の遊技領域１１２が前側に向けられ、遊技盤１１０が遊技機枠７１の前側から遊技主体収納室９５に挿入され、遊技盤１１０の下部が遊技機枠７１における遊技主体棚１０３の上面に載せられ、遊技盤１１０の左側部が遊技機枠７１の遊技主体受部９８および遊技主体押圧部９７で前後方向から挟まれた後、遊技盤１１０の右側部が後側に押され、遊技機枠７１における遊技主体ロック機構９９のロック操作部１０１が遊技盤１１０の取付部１２３のロック挿入孔１２４に後側から挿入されて前側に突出し、ロック挿入孔１２４の周囲における取付部１２３の裏面が遊技主体ロック機構９９の台座１００の前面と接触した状態において、作業者がロック操作部１０１を例えば右方向に９０度回転操作すると、ロック操作部１０１がロック挿入孔１２４の周りにおける取付部１２３の前面と係合し、遊技盤１１０が可動枠７５に取り付けられる。遊技盤１１０が可動枠７５に取り付けられた場合、一般入賞部品１３２と始動入賞部品１３４および可変入賞部品１３５が、映写装置１のスクリーン５よりも下部に位置する上被覆部２７の前側に配置され、センター飾り１３１と作動入賞部品１３３と遊技釘１３６および風車１３７は、映写装置１のスクリーン５の前側に配置される。遊技盤１１０が取り付けられた後、可動枠７５が閉じられ、遊技機枠７１における前面の球皿構造体８２およびパネル枠８１が閉じられる。
【００３２】
その状態において、球が球皿構造体８２の球収納部９０に入れられ、遊技者が遊技機枠７１の前面の発射操作機構９１を操作すると、遊技機枠７１の発射機構１０５が球収納部９０から供給された球を１個ずつ発射操作機構９１の操作量に応じた発射力で遊技盤１１０の遊技領域１１２に発射する。遊技領域１１２に発射された球は、センター飾り１３１や遊技釘１３６または風車１３７で流れを変えられるとともに、一般入賞部品１３２と作動入賞部品１３３および始動入賞部品１３４のいずれかに入賞する。また、作動入賞部品１３３への入賞の結果として始動入賞部品１３４の羽根１３８が開閉する。また、始動入賞部品１３４への入賞の結果として可変入賞部品１３５の開閉体１３９が開閉し、この開閉体１３９の開放中において、遊技領域１１２から球が可変入賞部品１３５に入賞する。これらの入賞の結果として、遊技機枠７１の払出機構１２８が遊技機枠７１の裏側のタンク１２９から遊技機枠７１の前側の球収納部９０に賞球としての球を払い出す。
【００３３】
そして、図６に示すように、投影機３の液晶表示器６５が電気的に画像を表示し、投影機３の投影光源６４が光を電気的に画像の表示されている液晶表示器６５に照射し、その投影光が投影機３の投影レンズ６６で拡大され、その拡大された投影光が反射鏡４で前側に反射してスクリーン５の全域に上記液晶表示器６５で表示された画像を拡大して映写し、遊技機枠７１の前側から遊技者がスクリーン５に映し出された画像を閉じられたパネル枠８１の前面パネル８４と遊技盤１１０の丸形開口部１１４および光透過性合成樹脂からなる板状構造体１１３を通して見ることをできる。図６の符号Ｌは、投影機３から照射される投影光を示す。
【００３４】
図１を参照し、遊技機枠７１に取り付けられた映写装置１における遊技部品覆部３０の構造について詳述する。遊技部品覆部３０は、左右非対称な形状である。つまり、遊技部品覆部３０の左側壁３０ａは、遊技部品覆部３０の背壁３０ｃから前側に行くに従って徐々に左側に傾斜する斜面になっている。遊技部品覆部３０の右側壁３０ｂは、遊技部品覆部３０の背壁３０ｃから前側に行くに従って徐々に右側に傾斜する斜面になっている。そして、右側壁３０ｂの背壁３０ｃおよび上被覆部２７に対する傾斜角度θ１は、左側壁３０ａの背壁３０ｃおよび上被覆部２７に対する傾斜角度θ２よりも大きくなっている。以下、右側壁３０ｂの背壁３０ｃおよび上被覆部２７に対する傾斜角度θ１は、右側壁３０ｂの傾斜角度θ１と称し、左側壁３０ａの背壁３０ｃおよび上被覆部２７に対する傾斜角度θ２は、左側壁３０ａの傾斜角度θ２と称する。よって、遊技盤１１０が映写装置１の取り付けられた可動枠７５の遊技主体収納室９５に装着される場合、図１のａ図に示すように、遊技盤１１０の左側部が遊技機枠７１の遊技主体受部９８および遊技主体押圧部９７で前後方向から挟まれた後、遊技盤１１０の右側部が矢印Ｆで示すように後側に押され、遊技盤１１０が遊技主体受部９８と遊技主体押圧部９７とで前後方向から挟まれた左側部を回転中心として後側に回転する。さらに、図１のｂ図に示すように、遊技盤１１０の右側部が後側に押されることによって、遊技盤１１０における始動入賞部品１３４の裏突出部分１４４が遊技部品覆部３０の内部空間に取り込まれ、遊技盤１１０の集合樋１４０が上被覆部２７の前側に離れて配置され、可動枠７５のロック操作部１０１が遊技盤１１０のロック挿入孔１２４に後側から挿入されて前側に突出した後、ロック操作部１０１が９０度回転操作されてロック挿入孔１２４の周りにおける取付部１２３の前面と係合し、遊技盤１１０が可動枠７５に取り付けられる。
【００３５】
この最良の形態によれば、遊技盤１１０の左側部が遊技機枠７１の遊技主体収納室９５に嵌め込まれ、遊技盤１１０の右側部が前側から後側に押されることによって、遊技盤１１０が上記嵌め込まれた左側部を回転中心として前側から後側に全体的に回転することによって、遊技盤１１０が映写装置１を有する遊技機枠７１に着脱される構造であっても、右側壁３０ｂの傾斜角度θ１が左側壁３０ａの傾斜角度θ２よりも大きくなっていて、遊技部品覆部３０が左右非対称な形状になっているので、遊技盤１１０の左側部が遊技主体受部９８と遊技主体押圧部９７との間に挿入され、遊技盤１１０の右側部が後側に押され、遊技盤１１０が遊技主体受部９８と遊技主体押圧部９７とで前後方向から挟まれた左側部を回転中心として後側に回転して遊技主体収納室９５に格納される場合、始動入賞部品１３４の裏突出部分１４４が遊技部品覆部３０に接触することなく、遊技部品覆部３０の内部に取り込まれる。
【００３６】
図１のｃ図を参照し、右側壁３０ｂの傾斜角度θ１が左側壁３０ａの傾斜角度θ２よりも大きくなっている場合の利点について考察する。遊技盤１１０の左側部が遊技機枠７１の遊技主体収納室９５に嵌め込まれ、遊技盤１１０の右側部が前側から後側に押されることによって、遊技盤１１０が上記嵌め込まれた左側部を回転中心として前側から後側に全体的に回転する構造を採用し、映写装置１に遊技盤１１０の裏面から後側に突出する裏突出部分１４４を覆い隠すための遊技部品覆部３０を設けた場合、遊技部品覆部３０の前側に開放された開口の横幅は左右側壁３０ａ；３０ｂで形成され、遊技盤１１０の回転中心側に位置する左側壁３０ａを裏突出部分１４４の近距離に設けることができるが、遊技盤１１０の回転中心側の反対側である取付部１２３の側に位置する右側壁３０ｂは回転する裏突出部分１４４と接触しないように裏突出部分１４４から遠距離に設けなければならない。このような構造上の状況下において、最良の形態の場合、左側壁３０ａの傾斜角度θ２は、成形型を用いて図４に示す上被覆部２７と下被覆部２８とを上下方向に連接された形態に形成する場合において、遊技部品覆部３０の内部空間３０ｅを形成するための成形型における突部を成形後に内部空間３０ｅから前側に離型するのに必要な傾斜角度であって、例えば、８８度程度に設定されている。右側壁３０ｂの傾斜角度θ１は、例えば、１００度に設定されている。そして、図５に示す投影光源６４から電気的に画像の表示されている液晶表示器６５および投影レンズ６６を通過して反射鏡４で前側に反射した光が図１のｂ図に示す光路Ｌ１を経由してスクリーン５に到達する。
【００３７】
対比例は、図１のａ図に示す遊技主体受部９８と遊技主体押圧部９７とで前後方向から挟まれた左側部を回転中心として後側に回転する場合に、図１のｃ図に実線で示す裏突出部分１４４が矢印Ｘで示す軌道を経由して点線で示すように移動する過程において接触しない、スクリーン５と遊技部品覆部３０における右側壁３０ｂとの交点Ｐ１から仮想線で示す右側壁３０ｆを左側壁３０ａの傾斜角度θ２と同じ傾斜角度で後側に延長するとともに、実線で示す背壁３０ｃから仮想線で示す背壁３０ｇを右側に延長し、この仮想線で示す背壁３０ｇと上記仮想線で示す右側壁３０ｆとを互いに連接した形状である。この対比例の場合、図５に示す投影光源６４から電気的に画像の表示されている液晶表示器６５および投影レンズ６６を通過して反射鏡４で前側に反射した光が図１のｂ図に示す光路Ｌ２を経由してスクリーン５に到達する。また、前記光路Ｌ１を通る反射鏡４からの光は、仮想線で示す背壁３０ｇで遮られてスクリーン５に到達しない。よって、対比例の場合は、光路Ｌ２を通る光がスクリーン５に到達した交点Ｐ２と上記交点Ｐ１との間の部分Ａ、つまり、遊技部品覆部３０の右側に影が発生するのに対し、最良の形態の場合は、係る影が発生しないので、スクリーン５に画像が適切に映し出されるという利点がある。
【産業上の利用可能性】
【００３８】
左側壁３０ａの傾斜角度θ２は、８８度に限定されるものではない。右側壁３０ｂの傾斜角度θ１は、１００度に限定されるものではない。また、図示は省略するが、図１または図２に示す遊技機枠７１の遊技主体押圧部９７および遊技主体受部９８をヒンジ部材に置換し、遊技盤１１０の右側部にヒンジ部材を設け、この遊技盤１１０のヒンジ部材と遊技機枠７１のヒンジ部材とを互いに嵌め合わせることによって、遊技盤１１０を遊技主体収納室９５に回転して格納するようにしてもよい。
【図面の簡単な説明】
【００３９】
【図１】ａ図は遊技盤を映写装置の取り付けられた遊技機枠に装着する初期状態を示す平面的な模式図、ｂ図は遊技盤を映写装置の取り付けられた遊技機枠に装着する終期状態を示す平面的な模式図、ｃ図は最良の形態と対比例とを示す平面的な模式図（最良の形態）。
【図２】映写装置の取り付けられた遊技機枠と遊技盤とを示す分解斜視図（最良の形態）。
【図３】遊技盤の裏側を示す斜視図（最良の形態）。
【図４】映写装置を示す分解斜視図（最良の形態）。
【図５】映写装置の外観を示す斜視図（最良の形態）。
【図６】遊技盤と映写装置と遊技機枠との関係を示す模式図（最良の形態）。
【符号の説明】
【００４０】
１  映写装置
３  投影機
４  反射鏡
５  スクリーン
３０  遊技部品覆部
３０ａ  左側壁
３０ｂ  右側壁
６４  投影光源
６５  液晶表示器
６６  投影レンズ
７１  遊技機枠
９５  遊技主体収納室
９６  中央開口部
１１０  遊技盤
１４４  裏突出部分
θ１  右側壁３０ｂの傾斜角度
θ２  左側壁３０ａの傾斜角度
【図１】
2005296396.tif 000003
【図２】
2005296396.tif 000004
【図３】
2005296396.tif 000005
【図４】
2005296396.tif 000006
【図５】
2005296396.tif 000007
【図６】
2005296396.tif 000008